(57)【要約】      （修正有）【課題】飼い主の移動にペットを同伴する際に生ずる飼い主の労力の軽減が図れるペット搬送用籠を提供する。【解決手段】ペットを搬送するために用いる籠１であって、上部に開口を有し、その内部にペットを収容する箱形状をなし、落下を防止する手段を有する手押し式の台車に載置してペットを搬送する。【選択図】図３
0003107057.tif 000002
【実用新案登録請求の範囲】
【請求項１】
落下を防止する手段を備える手押し式の台車に載置して、ペットを搬送するためのペット搬送用籠であって、
籠上部に開口を有し、その内部にペットを収容する空間部を有する箱型形状をなしていることを特徴とするペット搬送用籠。
【請求項２】
前記開口の外縁部に凸部が形成され、該凸部が落下を防止する手段に係止されることを特徴とする請求項１記載のペット搬送用籠。
【請求項３】
前記籠の側壁にはスリットが形成され、そのスリットの開放上部の距離を調節することにより、籠サイズが変更されることを特徴とする請求項１または請求項２記載のペット搬送用籠。
【請求項４】
前記籠の上部開口には、覆い部材が取り付けられていることを特徴とする請求項１乃至請求項３いずれか記載のペット搬送用籠。
【請求項５】
前記手押し式の台車は、市販のベビーカーであることを特徴とする請求項１乃至請求項４のいずれか記載のペット搬送用籠。
【請求項６】
前記籠の内側底面には、クッションが敷かれていることを特徴とする請求項１乃至請求項５のいずれか記載のペット搬送用籠。
【請求項７】
前記クッションには、保冷剤あるいは保温剤を収納されることを特徴とする請求項６記載のペット搬送用籠。
【考案の詳細な説明】
【技術分野】
【０００１】
本考案は、犬猫等のペットを搬送する際に用いるペット搬送用籠に関するものである。
【背景技術】
【０００２】
飼い主の長距離移動に犬猫等のペットを同伴する場合、犬猫等のペットを手提げ籠、バック等（以下、単に手提げ籠等と称する。）に入れて持ち運ぶのが一般的となっている。また、小型種や老齢化したペットは、歩行できる距離が短いため、近距離の移動であっても手提げ籠等を用いている。
【考案の開示】
【考案が解決しようとする課題】
【０００３】
しかしながら、飼い主はペットを手提げ籠等に入れて持ち運ぶことになるため、かなりの労力を必要とした。特に、飼い主が老人や女性、子供である場合には、小型種のペットであっても相当な労力が必要であった。
【０００４】
本考案は、上記技術的課題を解決するためになされたものであり、ペットを同伴して移動する際、飼い主の労力を軽減することを目的としている。
【課題を解決するための手段】
【０００５】
上記課題を解決するためになされた本考案は、落下を防止する手段を備える手押し式の台車に載置して、ペットを搬送するためのペット搬送用籠であって、籠上部に開口を有し、その内部にペットを収容する空間部を有する箱型形状をなしていることを特徴としている。
【０００６】
ここで、前記開口の外縁部に凸部が形成され、該凸部が落下を防止する手段に係止されることが望ましい。
また、前記籠の側壁にはスリットが形成され、そのスリットの開放上部の距離を調節することにより、籠サイズが変更されることが望ましく、前記籠の上部開口には、覆い部材が取り付けられていることが望ましい。
また、前記手押し式の台車は、市販のベビーカーであることが望ましい。
【０００７】
更に、前記籠の内側底面には、クッションが敷かれていることが望ましく、前記クッションには、保冷剤あるいは保温剤を収納されることが望ましい。
【考案の効果】
【０００８】
上記の如く本考案は、籠上部に開口を有し、その内部にペットを収容する空間部を有する箱型形状をなしたペット搬送用籠を、落下を防止する手段を備える手押し式の台車に載置して、ペットを搬送することによって、飼い主の移動にペットを同伴する際の、飼い主の労力を軽減することができるという効果を奏するものである。
【０００９】
また、前記籠の側壁にはスリットが形成され、その開放上部の距離を調節することにより、籠サイズを変更することができる。さらに、前記籠の上部開口に、覆い部材が取り付けることにより、ペットが籠から逃げ出すことを防止することができる。さらにまた、前記手押し式の台車として市販のベビーカーを用いることができるため、容易に搬送することができる。
【００１０】
また、前記籠の内側底面にはクッションを敷き、搬送時にペットに生ずる衝撃を和らげると共に、クッションに保冷剤や保温剤を収納することにより、籠本体の内部温度を整え、ペットを快適な環境下で搬送することができる。
【考案を実施するための最良の形態】
【００１１】
次に、この考案の実施の形態を図面を参照しながら説明する。
ここで、図１は本考案に係るペット搬送用籠の斜視図である。図２は本考案に係るペット搬送用籠の平面図である。図３は本考案に係るペット搬送用籠をベビーカーに載置した状態を示す正面図である。図４は図３の側面図である。図５は本考案に係るペット搬送用籠のサイズ調節手段を示す図である。図６は本考案に係るペット搬送用籠の取っ手を示す断面図である。図７は本考案に係るペット搬送用籠の他の実施形態を示す斜視図である。図８は図７に示す他の実施形態の覆い部材の開閉状態を示す側面図である。
【００１２】
図において符号１は、本考案に係るペット搬送用籠の籠本体を示している。この籠本体１は、厚紙、合成樹脂、竹などの木材、軟質鋼等からなり、上部に開口１ａを有し、その内部にペットを収容できる空間部を有する箱型形状をなしている。また、籠本体１は、後述するようにベビーカー３の座席部分に載置した場合に、その載置部分の形状に合うように、図面視上、前面が湾曲し、かつ、底面の各辺及び四隅に丸みを持たせている。
【００１３】
なお、籠本体１は、全面をビニール等で被覆することにより、ペットの排泄物等による汚れを簡単に洗い流せるようにしても良い。また、籠本体１の開口１ａの縁部に金属製のワイヤを配置し、これをビニール等で籠本体１と共に被覆することにより、籠本体１の型崩れを防止することもできる。このような構成は、籠本体１を厚紙で形成した場合に特に有効である。
【００１４】
また、籠本体１の内側底面には、搬送時にペットに生ずる衝撃を和らげるように、クッション２が敷かれている。さらに、このクッション２の内部には、夏に保冷剤、冬にカイロや小型の湯たんぽ等の保温剤を収納できるスペースが設けられている。これにより、季節の変化に合わせて籠本体１の内部温度を整え、ペットを快適な環境下で搬送することができる。
【００１５】
図３及び図４に示すように、前記籠本体１は、ペットの搬送時おいてはベビーカー３の座席部分に載置される。そして、飼い主はベビーカー３を通常に操作することにより、籠本体１に載置されたペットを搬送することができる。
なお、ここで用いられるベビーカー３は、市販されているもので特に問題はないが、移送時にベビーカー３から籠本体１が落下することを防止するため、背もたれ３１、肘掛３２、保護枠３３等からなる落下を防止する手段を有するものを用いる必要がある。また、籠本体１の背面側を、前記背もたれ３１の傾斜に合わせて傾斜させても良い。
更に、ベビーカーに限らず、籠本体１の落下を防止する手段を有するものであれば、多種の手押し式の台車に適用できることは言うまでもない。
【００１６】
また、籠本体１は、図５に示すように、その一側面又は両側面にスリット１１を形成し、その開放上部の距離を調節することにより、籠サイズを変更する手段を設けても良い。
即ち、籠本体１の一側面又は両側面にスリット１１を形成し、このスリット１１の上部開放部分の両端部にストッパ１１ａ，１１ｂを設ける。
これらストッパ１１ａ，１１ｂは、断面がＣ字形状をなす連結具１２で連結されると共に、連結具１２内を移動することによりストッパ１１ａ，１１ｂ間の距離を調節して、籠サイズを変更することができるように構成されている。なお、連結具１２の両端から前記ストッパ１１ａ，１１ｂが抜けないように、連結具１２の両端の開孔径はストッパ１１ａ，１１ｂの直径よりも小さく形成されている。
このような構成により、前記ストッパ１１ａ，１１ｂ間の距離を調節することにより、籠本体１の寸法を調節でき、背もたれ３１、肘掛３２、保護枠３３によって形成される形状が異なるベビーカー等にも適用することができる。
【００１７】
また、図６に示すように、籠本体１は、その開口１ａの外周縁部に凸部１ｂを形成してもよい。このように形成された凸部１ｂは、籠本体１の取っ手になると共に、ベビーカー３の肘掛３２に係止せることにより、籠本体１をベビーカー３に容易に搭載することができる。
【００１８】
次に、本考案に係るペット搬送用籠の他の実施形態について説明する。
図７に示すように、他の実施形態としては上述の籠本体１の開口１ａに、格子状に組み合わされた線状体からなる覆い部材４を取り付けて構成したものである。
この覆い部材４は、籠本体１の開口１ａの外周部に別途設けた係止突起（図示せず）に係合させる手段等の常套手段により籠本体１に対して、着脱自在に取り付けられている。
なお、覆い部材４の上部には、ペット搬送用籠を持ち運ぶ際に用いる取っ手４１を形成しても良い。
【００１９】
また、覆い部材４は、図８に示すように、正面蓋４２と上蓋４３との連結部４ａ及び上蓋４３の中央部にヒンジ部４ｂを設け、ヒンジ部４ｂを支点として折り畳み式に開閉できるように構成している。これにより、開閉部からペットの出し入れを容易に行うことができる。
【産業上の利用可能性】
【００２０】
本発明に係るペット搬送用籠は、犬、猫の搬送のみならず、他のペットの搬送にも利用できることは言うまでもない。
なお、本発明に係るペット搬送用籠は、上記実施形態に何ら限定されるものではなく、これらの記載から当業者が容易に導き出すことができる技術をも含むものである。
【図面の簡単な説明】
【００２１】
【図１】本考案に係るペット搬送用籠の斜視図である。
【図２】本考案に係るペット搬送用籠の平面図である。
【図３】本考案に係るペット搬送用籠をベビーカーに載置した状態を示す正面図である。
【図４】図３の側面図である。
【図５】本考案に係るペット搬送用籠のサイズ変更手段を示す図である。
【図６】本考案に係るペット搬送用籠の取っ手を示す断面図である。
【図７】本考案に係るペット搬送用籠の他の実施形態を示す斜視図である。
【図８】図７に示す他の実施形態の籠部材の開閉状態を示す側面図である。
【符号の説明】
【００２２】
１    籠本体
１ａ  開口
１ｂ  取っ手
１１  スリット
１１ａ，１１ｂ  ストッパ
１２  連結具
２    クッション
３    ベビーカー
３１  背もたれ
３２  肘掛
３３  保護枠
４    覆い部材
４１  取っ手
【図１】
0003107057.tif 000003
【図２】
0003107057.tif 000004
【図３】
0003107057.tif 000005
【図４】
0003107057.tif 000006
【図５】
0003107057.tif 000007
【図６】
0003107057.tif 000008
【図７】
0003107057.tif 000009
【図８】
0003107057.tif 000010